(57)【要約】【課題】複数の室の連通状態を容易かつ確実に確認することができる複室容器を提供する。【解決手段】複室容器は、外部から圧迫することにより容易に剥離可能な弱シール部１を有しており、この弱シール部１を隔壁として薬液の収容された第１の室２と、薬液は勿論、粉末製剤や固形製剤などの乾燥製剤が収容されていてもよい第２の室３に区画されている。弱シール部１を構成するシートの表裏略対向する位置には、それぞれ、異なる色で上下２重に彩色された２重着色部４、５が設けられており、表側の２重着色部４と裏側の２重着色部５は、それぞれ、その上側の彩色により自身の２重着色部の下側の彩色および他方の側の２重着色部の下側の彩色がそれぞれ隠れる様になっている。【選択図】　　　図１
2004141416.tif 000002
【特許請求の範囲】
【請求項１】
外部から圧迫することにより容易に剥離可能な弱シール部を有しており、該弱シール部を隔壁として複数の室に区画された袋状の柔軟な複室容器において、前記弱シール部を構成するシートの表裏略対向する位置に、それぞれ、異なる色で上下２重に彩色された２重着色部が設けられ、一方の側の２重着色部の上側の彩色により該２重着色部の下側の彩色および他方の側の２重着色部の下側の彩色がそれぞれ隠れる様にされてなる、連通状態を容易に確認可能な複室容器。
【請求項２】
表側の２重着色部と裏側の２重着色部は、上下２重の色の組み合わせが同じにされてなる請求項１に記載の複室容器。
【請求項３】
２重着色部は、上側が白色に着色され、下側が赤色に着色されてなる請求項２に記載の複室容器。
【請求項４】
２重着色部は、弱シール部を縦断して設けられてなる請求項１〜３のいずれかに記載の複室容器。
【請求項５】
２重着色部は、弱シール部を構成するシート自体に設けられてなる請求項１〜４のいずれかに記載の複室容器。
【請求項６】
２重着色部は、弱シール部を構成するシートの表面に設けられてなる請求項１〜４のいずれかに記載の複室容器。
【請求項７】
２重着色部は、シートの表面に相異なる着色料を上下２重に塗布することにより形成されてなる請求項６に記載の複室容器。
【請求項８】
２重着色部は、シートの表面に表裏異なる色彩のテープを貼りつけることにより形成されてなる求項６に記載の複室容器。
【発明の詳細な説明】
【０００１】
【発明の属する技術分野】
本発明は、容易に剥離可能な弱シール部により複数の室に区画された袋状の柔軟な複室容器に関するもので、本発明によれば複数の室の連通状態を容易かつ確実に確認することができる。
【０００２】
【従来の技術】
外部から圧迫することにより容易に剥離可能な弱シール部を有しており、この弱シール部を隔壁として複数の室に区画された袋状の柔軟な複室容器は、混合することにより変質しやすい複数の薬剤を別々に収容しておき、用時に弱シール部を剥離することにより容易且つ無菌的に混合することができるため、例えば抗生物質と溶解液とを収容した輸液容器や、アミノ酸液と糖・電解質液とを収容した輸液容器、濾過型人工腎臓用補液の容器として、従来より医療現場で多用されている。
【０００３】
複室容器は、細菌汚染や異物の混入、混注操作時における操作ミスなどを防止でき、また、薬剤の調製が容易で、緊急時に迅速な対応が可能である、注射剤調製のための医療器材を節減できる、調製時間短縮による労働力を節減できる等、大きなメリットを有している。
【０００４】
しかしながら、従来の複室容器は、弱シール部の剥離を確認し難く、従って、ポートが薬液収容室側に付いている場合には、複数の室が未連通のまま、ポートに例えば輸液セットなどを接続し、ポート側の薬液収容室に収容された薬液のみを点滴する虞があり、実際に、濾過型人工腎臓用補液の容器で、２室の未連通による死亡事故が発生している。
【０００５】
【発明が解決しようとする課題】
本発明は、如上の事情に鑑みてなされたもので、複数の室の連通状態を容易かつ確実に確認することができる複室容器を提供することを目的とする。
【０００６】
【課題を解決するための手段】
本発明者は上記課題を解決するために、鋭意検討の結果、弱シール部が剥離した時に目視で剥離面を確認できるようにすれば、極めて容易且つ間違いなく複数の室の連通状態を確認することができることに想到し、本発明を完成した。すなわち本発明は、外部から圧迫することにより容易に剥離可能な弱シール部を有しており、この弱シール部を隔壁として複数の室に区画された袋状の柔軟な複室容器において、前記弱シール部を構成するシートの表裏略対向する位置に、それぞれ、異なる色で上下２重に彩色された２重着色部が設けられ、一方の側の２重着色部の上側の彩色により該２重着色部の下側の彩色および他方の側の２重着色部の下側の彩色がそれぞれ隠れる様にされてなる、連通状態を容易に確認可能な複室容器に関する。
【０００７】
ここで、表側の２重着色部と裏側の２重着色部は、上下２重の色の組み合わせが同じにされてなるものが好ましく、このような組み合わせとしては、弱シール部の剥離前は清潔感があり、剥離後は目立つように、上側が白色に着色され、下側が赤色に着色されてなるものが好ましい。また、２重着色部は弱シール部を縦断して設けてもよい。２重着色部は、弱シール部を構成するシート自体に設けられていても、また、弱シール部を構成するシートの表面に設けられていてもよい。２重着色部をシートの表面に設ける場合、２重着色部は、シートの表面に相異なる着色料を上下２重に塗布することにより形成しても、シートの表面に表裏異なる色彩のテープを貼りつけることにより形成してもよい。
【０００８】
【発明の実施の形態】
次に、本発明の実施例について、図面を用いて説明する。
図１は本発明の複室容器の一実施例を示す平面図であり、２室からなる複室容器を示す。また、図２は図１の側面図であり、図３は図１に示す複室容器の弱シール部を剥離して２室を連通した状態を示す斜視図である（表側を上にして圧迫した状態を示す）。
図１および図２に示すように、本発明の複室容器は、外部から圧迫することにより容易に剥離可能な弱シール部１を有しており、この弱シール部１を隔壁として薬液の収容された第１の室２と、薬液は勿論、粉末製剤や固形製剤などの乾燥製剤が収容されていてもよい第２の室３に区画されている。弱シール部１を構成するシートの表裏略対向する位置には、それぞれ、異なる色で上下２重に彩色された２重着色部４、５が設けられており、表側の２重着色部４と裏側の２重着色部５は、それぞれ、その上側の彩色により自身の２重着色部の下側の彩色および他方の側の２重着色部の下側の彩色がそれぞれ隠れる様になっている。すなわち、表裏の２重着色部４、５をどちらも、例えば上側の彩色が白、下側の彩色が赤とした場合、表側の２重着色部４の白色によりその下側の赤色と裏側の２重着色部５の下側の赤色が共に隠れ、同時に、裏側の２重着色部５の白色によりその下側の赤色と表側の２重着色部４の下側の赤色が共に隠れるようになっている。尚、６はポートであり、ポート６は第１の室２に取り付けられている。
【０００９】
表側の２重着色部４と裏側の２重着色部５は、剥離面の確認をしやすい様にするために、表裏で上下２重の色の組み合わせを同じにするのが好ましく、このような彩色層の組み合わせとしては、弱シール部の剥離前は清潔感があり、剥離後は目立つ、上側が白色または青色に着色され、下側が赤色に着色されてなるものが好ましい。また、表裏略対向する位置に２重着色部４、５を設ける際、２重着色部４、５を、弱シール部１を縦断して設けるようにすれば、両者を重ねるのが容易である。２重着色部４、５は、弱シール部１を構成するシート自体に設けても、また、弱シール部１を構成するシートの表面に設けてもよい。２重着色部４、５を弱シール部１を構成するシート自体に設ける場合、シートは複層にし、着色面同士を合わせて接着すればよい。また、２重着色部４、５をシートの表面に設ける場合には、シートの表面に相異なる着色料を上下２重に塗布することにより形成しても、シートの表面に表裏異なる色彩のテープを貼りつけることにより形成してもよい。
【００１０】
本発明の複室容器は、外部から圧迫すると、弱シール部１が剥離して図３に示すような状態になる。この時、表側の２重着色部４の上側の彩色層４１が見えており、斜め方向から見た場合、裏側の２重着色部５の下側の彩色層５２も見える。
従って、彩色層４１と彩色層５２の色を異なる色にすれば、彩色層５２の出現により、２室の連通を確実に確認することができる。
【００１１】
【発明の効果】
以上述べたことから明らかなように、本発明を採用することにより、複室容器の複数の室の連通状態を容易かつ確実に確認することができるので、薬液の誤注入による医療ミスを確実に防止することができる。
【図面の簡単な説明】
【図１】本発明の複室容器の一実施例を示す平面図であり、２室からなる複室容器を示す。
【図２】図１の側面図である。
【図３】図１に示す複室容器の弱シール部を剥離して２室を連通した状態を示す斜視図である（表側を上にして圧迫した状態を示す）。
【符号の説明】
１　弱シール部
２　第１の室
３　第３の室
４　表側の２重着色部
４１　上側の彩色層
５　裏側の２重着色部
５２　下側の彩色層
６　ポート
【図１】
2004141416.tif 000003
【図２】
2004141416.tif 000004
【図３】
2004141416.tif 000005